(57)【要約】【課題】外観表面のヒケを防止することができると共に、照明範囲を拡大することができるスイッチ装置を提供する。【解決手段】スイッチ装置１０は、張出部１７の操作によって支点部１６を中心に揺動する操作部材１２を備える。この操作部材１２は、透光標示部２０を有する第１材１４と、この第１材１４により表（おもて）面側を覆われる第２材１５とからなり、第１材１４及び第２材１５は、張出部１７において相互に入り込む櫛歯状をなす。これら第１材１４の第１櫛歯部２４と第２材１５の第２櫛歯部２３とで、夫々の薄肉化を図りつつ透光表示部２０の範囲を張出部１７側まで拡大することが可能となる。【選択図】図１
2010061839.tif 000002
【特許請求の範囲】
【請求項１】
支点部と、張り出す形状に形成された張出部とを有し、前記張出部の操作によって前記支点部を中心に揺動する操作部材と、
前記操作部材に設けられた透光標示部と、
前記透光標示部から離間して設けられた発光体とを備え、
前記操作部材は、前記透光標示部を有する第１材と、この第１材により表（おもて）面側を覆われる第２材とからなり、
前記第１材及び第２材は、前記張出部において相互に入り込む櫛歯状をなすことを特徴とするスイッチ装置。
【請求項２】
前記第１材及び第２材は何れも合成樹脂材料からなり、前記操作部材は、これら合成樹脂材料の二色成形により一体に成形されていることを特徴とする請求項１記載のスイッチ装置。
【発明の詳細な説明】
【技術分野】
【０００１】
本発明は、操作部材に透光標示部を有するスイッチ装置に関する。
【背景技術】
【０００２】
従来より、スイッチ装置、中でも自動車用など車両用のスイッチ装置にあっては、例えば図３に示す如く構成されたものが供されている。このスイッチ装置の操作部材１は、その前面側下部（図３で左側下部）に下側へ張り出す張出部２を一体に有すると共に、操作部材１の上寄りに位置に支点部３を有する。即ち、操作部材１は、当該支点部３を揺動中心とし、張出部２において手前側に引き上げる引上げ操作（矢印Ａ１参照）と奥方へ押圧する押圧操作（矢印Ａ２参照）とが行われる、所謂引上げスイッチとして構成されている。
【０００３】
操作部材１の表面部（図３中、左面部）に透光部４が設けられており、当該透光部４から離間して図で右方には、例えば回路基板５に実装したＬＥＤ等の発光体５ａ，５ｂが設けられている。また、操作部材１の図で右端部には、上下に当接部１ａ，１ｂが形成されている。操作部材１の張出部２を引上げ操作或は押圧操作すると、操作部材１が揺動変位することに伴い当接部１ａ，１ｂ等を介して、図示しない接点を有するスイッチ本体がオンし、所定の入力をする。この入力によって、例えば図示しないオープンカーのルーフがクローズド状態或いはオープン状態に切換わる。
【０００４】
また、図示は省略するが、透光部４は、例えば正面側から見て「ＣＬＯＳＥ」「ＯＰＥＮ」の文字や、オープンカーとルーフを示す絵などを示す標示部として観察される。そして、発光体５ａ，５ｂは例えば常時点灯し、その光が透光部４に達することによって当該透光部４が照明されることにより、標示部における視認性を向上させている。
【０００５】
尚、車両用のスイッチとしては特許文献１に示すものがある。特許文献１のスイッチ装置では、透光ガイド（ライトガイド）を利用した照明機能を有する。
【特許文献１】特開２００８−２７７０４号公報
【発明の開示】
【発明が解決しようとする課題】
【０００６】
上述した引上げスイッチは張出部２で直接操作されることから、張出部２の形状は指のかかり具合や強度の確保等を考慮して、比較的厚肉で隆起する形態をなす。このため、操作部材１を射出成形により製造する際、張出部２部分にヒケが生じ易く外観不良を来す要因となっていた。また、この操作部材１における照明範囲の下限は、張出部２が邪魔になるため、照明が可能な透光部４の範囲（照明範囲の下限）が図３中、矢印Ｅの位置に制約されることとなる。即ち、張出部２をその内部を窪ませて薄肉（空洞）にすることは成形型の構造上、困難な要求であるため、やはり張出部２の厚肉部で透光部４の範囲が狭められることとなるのである。
【０００７】
本発明は上記事情に鑑みてなされたものであり、その目的は、外観表面のヒケを防止することができると共に、照明範囲を拡大することができるスイッチ装置を提供することにある。
【課題を解決するための手段】
【０００８】
上記目的を達成するため本発明は、支点部と、張り出す形状に形成された張出部とを有し、前記張出部の操作によって前記支点部を中心に揺動する操作部材と、前記操作部材に設けられた透光標示部と、前記透光標示部から離間して設けられた発光体とを備え、前記操作部材は、前記透光標示部を有する第１材と、この第１材により表（おもて）面側を覆われる第２材とからなり、前記第１材及び第２材は、前記張出部において相互に入り込む櫛歯状をなすことを特徴とする。
【発明の効果】
【０００９】
上記構成によれば、張出部おいて第１材と第２材とが櫛歯状をなすことで、材料の成形収縮によって生じるヒケを防止することができ、外観不良を解消することができる。また、透光標示部を有する第１材は、張出部おいて表面側に位置し且つ第２材に入り込むため、透光標示部の範囲を張出部まで拡大することが可能となる。従って、第１材において投光標示部を比較的広範囲に表示することができ、投光標示部の視認性をより向上させることができる。
【発明を実施するための最良の形態】
【００１０】
以下、本発明の一実施例につき図１、図２を参照しながら説明する。ここで、図１（ａ）はスイッチ装置全体の正面図を示しており、図１（ｂ）は図１（ａ）中Ｘ−Ｘ線に沿う縦断側面図を示している。尚、本実施例のスイッチ装置は、例えば自動車用など車両用であって、オープンカーのルーフをオープン状態とクローズド状態とに切換えるためのスイッチ（以下、スイッチ装置１０と称す）に適用されるものとする。
【００１１】
スイッチ装置１０は、例えばインストルメントパネル（図示せず）の適宜部位に取り付け固定される装置本体１１と、この装置本体１１に設けられユーザ（操作者）により操作される操作部材１２とを備えている。装置本体１１は例えば合成樹脂材料からなり、正面視（図１（ａ）参照）にて略矩形状をなす本体部１１ａと、その前側（図１（ｂ）で左側）へ突出する突出部１１ｂとを一体に有する。突出部１１ｂの前端部には、操作ノブたる操作部材１２を揺動可能に支持する支承部１３が設けられている。
【００１２】
操作部材１２は、全体として後方が開放された浅底な矩形容器状をなし、後述する表（おもて）面側の第１材１４とその裏面側に位置する第２材１５とから構成されている。図１（ｂ）に示すように、操作部材１２の上寄りの部位には、前記支承部１３に支持される支点部１６が形成されている。また、操作部材１２の前側下部には、下方に張り出す形状に一体形成された喉状の張出部１７が設けられており、その後方には、張出部１７の基端部から下方に緩やかに傾斜した円弧部１８が形成されている。即ち、操作部材１２は、張出部１７の裏面側に指など掛けて手前側に引き上げる引上げ操作（矢印Ｄ１参照）と、張出部１７の表面側から後方へ押圧する押圧操作（矢印Ｄ２参照）とが行われることにより、支点部１６を中心に揺動する所謂引上げスイッチとして構成されている。
【００１３】
図１（ａ）及び（ｂ）は操作部材１２において上記の操作がなされていない中立位置の状態を示しており、操作部材１２は図示しない付勢部材（例えばゴムやばね等の弾性体）により当該中立位置へ付勢されている。また、操作部材１２の後端部には、支点部１６の上側に位置する当接部１２ａと下側に位置する当接部１２ｂとが形成されている。
【００１４】
第１材１４は、透光性を有する合成樹脂材料（例えば透明のアクリル樹脂）からなり、第２材１５は合成樹脂材料（例えば黒色のＡＢＳ樹脂）からなる。操作部材１２の表面側において、少なくとも第１材１４の表面側には、塗装膜１９が形成されると共に当該塗装膜１９をレーザで抜くことにより、「ＣＬＯＳＥ」「ＯＰＥＮ」の文字や、オープンカーとルーフを示す絵などによる透光標示部２０が形成されている。また、透光標示部２０には、引上げ操作及び押圧操作における操作方向を示す三角記号２０ａ及び２０ｂが含まれ、これらの記号２０ａ及び２０ｂは、夫々「ＣＬＯＳＥ」及び「ＯＰＥＮ」の文字の横に付されている。この透光標示部２０は、第１材１４の表面側において張出部１７側にかかるように比較的広範囲に形成されており、後述するように張出部１７の基端部の下寄りの位置（矢印Ｅ１参照）まで照明範囲（透光標示部２０の範囲）を拡張することができる。
【００１５】
図１（ｂ）に示すように、装置本体１１には回路基板２１が取り付けられており、この回路基板２１に発光体（例えば複数のＬＥＤ２２ａ，２２ｂ）が実装されている。これらＬＥＤ２２ａ，２２ｂは、透光標示部２０から離間してこれに対向している。
【００１６】
さて、操作部材１２の第１材１４及び第２材１５について図２も参照しながら説明する。これら第１材１４及び第２材１５は、二色成形により互いに一体に接合するものであるが、図２では説明の便宜上、両者１４，１５を分けて示している。
【００１７】
第２材１５は、前後に貫通するように大きく開口した中空部１５ａを有する。この中空部１５ａは、前方側において張出部１７に設けられた第２櫛歯部２３により矢印Ｅ１の位置まで拡開している。即ち、第２材１５には、張出部１７の上端部を斜め前下方に三角形状に切欠いた多数の切欠部２３ａが左右に所定間隔で形成されることにより、櫛歯状をなす第２櫛歯部２３が形成されている。
【００１８】
他方、第１材１４は、第２材１５の前面側を略全域にわたって覆い、この第１材１４の裏面に、第２櫛歯部２３に入り込む第１櫛歯部２４を一体に有する。第１櫛歯部２４を構成する多数の凸部２４ａは、夫々切欠部２３ａの後端Ｐを頂部として前方へ「＞」状に拡がっており、その下半部が切欠部２３ａに接合し、上半部が上方ほど第１材１４の裏面に接近する三角形状をなしている。かようにして、第１材１４及び第２材１５は、張出部１７において互いに対向する接合部が櫛歯状をなしている。
【００１９】
操作部材１２は、上記した第１材１４を構成するアクリル樹脂と第２材１５を構成するＡＢＳ樹脂の二色成形により一体に成形されている。本実施例では、例えば図示しない金型内において先ず前記ＡＢＳ樹脂を注入して固化させることにより第２材１５を成形し、同じ金型内に当該第２材１５を配置した状態でアクリル樹脂を注入して固化させることにより第２材１５と一体化した第１材１４を成形する。尚、射出する順序は上記の逆（つまりアクリル樹脂、ＡＢＳ樹脂の順）であってもよい。本発明の二色成形とは、同じ金型内に二種の合成樹脂材料を順次射出する成形方法であるが、換言すれば第１材１４及び第２材１５のうち一方を金型内に配置して他方の樹脂材料を射出する所謂インサート成形の側面も有する。
【００２０】
次に、上記構成の作用について説明する。
操作部材１２は、操作されていない状態では図１（ｂ）に示す中立位置に位置している。ここで、操作部材１２は、張出部１７の表面側から後方へ押圧する押圧操作が行われることにより、支点部１６を中心に矢印Ｄ２方向へ揺動する。この揺動変位に伴い操作部材１２の当接部１２ｂ等を介して、図示しない接点を有するスイッチ部がオンし、所定の入力をする。この入力によって、オープンカーのルーフ（何れも図示せず）がオープン状態に切換わる。
【００２１】
他方、操作部材１２は、張出部１７の裏面側に指など掛けて手前側に引き上げられることにより支点部１６を中心に矢印Ｄ１方向へ揺動する。この揺動変位に伴い操作部材１２の当接部１２ａ等を介して、他のスイッチ部（図示せず）がオンし、所定の入力をする。この入力によって、オープンカーのルーフが今度はクローズド状態に切換わる。
【００２２】
前記ＬＥＤ２２ａ，２２ｂは例えば常時点灯し、その光が透光標示部２０に達することによって当該透光標示部２０が照明され、視認性を向上させている。このため、上記した操作部材１２の操作の際、操作者は、操作部材１２の位置や機能、操作方向等を直ぐに把握することができる。尚、ＬＥＤ２２ａ，２２ｂの個数や位置、発光パターン（点灯及び消灯のタイミング）等は、透光標示部２０の形状や用途に応じて適宜変更してもよい。
【００２３】
また、透光標示部２０の範囲は、張出部１７側まで拡大されているが、前記の照明の際、第１櫛歯部２４が透光ガイド（ライトガイド）として機能するため張出部１７側の領域も充分に照明される。また、押圧操作や引上げ操作の際、操作部材１２は、張出部１７で直接操作されるため張出部１７近傍部の応力集中は不可避となるが、第１材１４と第２材１５が二色成形により結合しているため、第２材１５に対する第１材１４の剥離を防止することができる。
【００２４】
上記実施例によれば、次のような効果を奏する。
操作部材１２を、透光標示部２０を有する第１材１４と、この第１材１４により表面側が覆われる第２材１５とから構成し、第１材１４及び第２材１５を張出部１７において相互に入り込む櫛歯状をなすように形成したので、材料の成形収縮によって生じるヒケを防止することができる。即ち、張出部１７は全体として比較的肉厚で隆起する形態を有するが、第１材１４の第１櫛歯部２４と第２材１５の第２櫛歯部２３とで夫々の薄肉化を図ることができ、成形時のヒケの発生をなくし製品外観（見栄え）を向上させることができるのである。透光標示部２０を有する第１材１４は、張出部１７おいて第２材１５に入り込む形状をなすため、透光標示部２０の範囲を張出部１７側まで拡大することができる。従って、第１材１４において投光標示部２０（文字や絵など）を比較的広範囲に表示することができ、投光標示部２０の視認性をより向上させることができる。
【００２５】
第１材１４及び第２材１５は何れも合成樹脂材料からなり、操作部材１２は、これら合成樹脂材料の二色成形により一体に成形されている。従って、第１材１４と第２材１５とを確実に接合させることができ、第１材１４の剥離を防止することができる。また、操作部材１２の製造の際、１つの金型を用いて第１材１４及び第２材１５を成形することができると共に、両者１４，１５を互いに固定するための接着剤ないし接着工程を省くことができるので、安価な構成とすることができる。
【００２６】
また、第１櫛歯部２４は透光性を有する合成樹脂材料からなり、その下半部が第２櫛歯部２３に接合し、上半部が上方ほど第１材１４の裏面に接近する三角形状をなしている。よって、第１櫛歯部２４は透光ガイドとして機能するため張出部１７側の領域も充分に照明することができる。
【００２７】
尚、図３に示す従来のスイッチ装置において、張出部２まで照明範囲を拡大するには、発光体５ａ，５ｂの発する光を張出部側に透過させる透光ガイド（図示せず）を延設することも考えられる。しかし、このものでは、操作部材とは別個の透光ガイドが必要となるだけでなく、構造の複雑化を招くことになる。これに対し、本実施例では、透光ガイドを用いることなく矢印Ｅ１（図１参照）の位置まで透光標示部２０を充分に照明することができ、簡単且つ安価な構成で照明範囲を拡大することができる。
【００２８】
本発明は、上述の自動車用のスイッチ装置１０に限定されず、構成的に同様の事情を有するスイッチ装置一般に適用できるものである。操作部材１２は、支点から離間した一端部（張出部）において揺動操作されるものであればよく、支点部１６の位置を操作部材の中心に配置する等、適宜変更してもよい。また、張出部１７の形状は図示したものに限定するものではなく、操作部材において隆起する等して張り出す形状であればよい。
【図面の簡単な説明】
【００２９】
【図１】本発明の一実施例を示すスイッチ装置であって、（ａ）及び（ｂ）はその正面図及び縦断側面図
【図２】説明の便宜上、第１材と第２材とに分けて示した操作部材の斜視図
【図３】従来例を示す図１（ｂ）相当図
【符号の説明】
【００３０】
図面中、１０はスイッチ装置、１４は第１材、１５は第２材、１６は支点部、１７は張出部、２０は透光標示部、２２ａ，２２ｂはＬＥＤ（発光体）、２３は第２櫛歯部、２４は第１櫛歯部を示す。
【図１】
2010061839.tif 000003
【図２】
2010061839.tif 000004
【図３】
2010061839.tif 000005